【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
画像読取手段を読取位置に固定し、原稿を搬送しながら該原稿の画像情報を読み取り可能な画像読取装置に搭載可能であって、原稿を１枚ずつ読取位置に搬送する自動原稿搬送装置において、
画像読取手段が読み取り可能である場合に、画像読取装置から発信される読取開始信号を受信する受信手段と、
原稿が読取位置の上流近傍の所定位置に到達したことを検出する読取位置到達検出手段と、
を備え、
原稿を読取位置へ搬送する際に、読取位置到達検出手段により、前記原稿が読取位置の上流近傍の所定位置に到達したことを検出した場合は、搬送動作を停止して読取位置の上流近傍の所定位置に原稿を停止させるとともに、受信手段が読取開始信号を受信すると搬送動作を再開して読取位置へ搬送する停止モードと、原稿を読取位置へ搬送する際に、該読取位置の上流近傍の所定位置に停止させることなく、読取位置へ搬送する非停止モードと、を有することを特徴とする自動原稿搬送装置。
【請求項２】
画像読取手段を読取位置に固定し、原稿を搬送しながら該原稿の画像情報を読み取り可能な画像読取装置に搭載可能であって、原稿を１枚ずつ読取位置に搬送する自動原稿搬送装置において、
画像読取手段が読み取り可能である場合に、画像読取装置から発信される読取開始信号を受信する受信手段と、
原稿が読取位置の上流近傍の所定位置に到達したことを検出する読取位置到達検出手段と、
を備え、
受信手段が読取開始信号を受信するより前に読取位置に向けて原稿を搬送するとともに、該原稿が読取位置到達検出手段により検出されるより前に、受信手段が読取開始信号を受信しない場合には、前記原稿を読取位置の上流近傍の所定位置で停止させる一方、前記原稿が読取位置到達検出手段により検出されるより前に、受信手段が読取開始信号を受信した場合は、前記原稿を読取位置の上流近傍の所定位置で停止させずに搬送を続けることを特徴とする自動原稿搬送装置。
【請求項３】
画像読取手段を読取位置に固定し、原稿を搬送しながら該原稿の画像情報を読み取り、画像メモリを介して前記画像情報を転写紙に画像形成する画像形成装置に搭載可能であって、該画像形成装置の画像形成の種類に合わせて原稿を１枚ずつ読取位置に搬送する自動原稿搬送装置において、
画像読取手段が読み取り可能である場合に、画像読取装置から発信される読取開始信号を受信する受信手段と、
原稿が読取位置の上流近傍の所定位置に到達したことを検出する読取位置到達検出手段と、
原稿を読取位置へ搬送する際に、読取位置到達検出手段により、前記原稿が読取位置の上流近傍の所定位置に到達したことを検出した場合は、搬送動作を停止して読取位置の上流近傍の所定位置に原稿を停止させるとともに、受信手段が読取開始信号を受信すると搬送動作を再開して読取位置へ搬送する停止モードと、原稿を読取位置へ搬送する際に、該読取位置の上流近傍の所定位置に停止させることなく、読取位置へ搬送する非停止モードと、を設定する設定手段と、
を備えたことを特徴とする自動原稿搬送装置。
【請求項４】
前記原稿が読取位置到達検出手段により検出されたときに、受信手段によって読取開始信号が受信されている場合は非停止モードを設定する一方、原稿が読取位置到達検出手段により検出されたときに、受信手段によって読取開始信号が受信されていない場合には停止モードを設定することを特徴とする請求項３記載の自動原稿搬送装置。
【請求項５】
前記原稿が１枚目の場合には停止モードを設定し、２枚目以降の原稿については、該原稿が読取位置到達検出手段により検出されたときに、受信手段によって読取開始信号が受信されている場合は非停止モードを設定する一方、原稿が読取位置到達検出手段により検出されたときに、受信手段によって読取開始信号が受信されていない場合には停止モードを設定することを特徴とする請求項３記載の自動原稿搬送装置。
【請求項６】
前記原稿の搬送中に原稿サイズを検出するサイズ検出手段と、
異サイズの原稿を順次搬送する混載モードを設定する混載モード設定手段と、
を備え、
該混載モード設定手段により混載モードが設定された場合は、全ての原稿を停止モードで搬送することを特徴とする請求項３又は５記載の自動原稿搬送装置。
【請求項７】
請求項１又は２記載の自動原稿搬送装置を搭載したことを特徴とする画像読取装置。
【請求項８】
請求項３〜６のいずれかに記載の自動原稿搬送装置を搭載したことを特徴とする画像形成装置。
【請求項９】
画像読取手段を読取位置に固定し、原稿を搬送しながら読取り可能な画像読取装置に搭載され、読取倍率に応じて読取位置の上流近傍に複数の停止位置が設定された自動原稿搬送装置であって、
予め搬送原稿の読取倍率が指定されている場合は、該読取倍率に応じた停止位置で搬送動作を一時停止し、予め読取倍率が指定されていない場合には、前記複数の停止位置の中、最上流側の停止位置で搬送動作を一時停止することを特徴とする自動原稿搬送装置。
【請求項１０】
請求項１又は２記載の自動原稿搬送装置を搭載したことを特徴とする画像形成装置。
【手続補正２】
【補正対象書類名】明細書
【補正対象項目名】００１１
【補正方法】変更
【補正の内容】
【００１１】
【問題を解決するための手段】
請求項１記載の発明は、画像読取手段を読取位置に固定し、原稿を搬送しながら該原稿の画像情報を読み取り可能な画像読取装置に搭載可能であって、原稿を１枚ずつ読取位置に搬送する自動原稿搬送装置において、画像読取手段が読み取り可能である場合に、画像読取装置から発信される読取開始信号を受信する受信手段と、原稿が読取位置の上流近傍の所定位置に到達したことを検出する読取位置到達検出手段と、を備え、原稿を読取位置へ搬送する際に、読取位置到達検出手段により、前記原稿が読取位置の上流近傍の所定位置に到達したことを検出した場合は、搬送動作を停止して読取位置の上流近傍の所定位置に原稿を停止させるとともに、受信手段が読取開始信号を受信すると搬送動作を再開して読取位置へ搬送する停止モードと、原稿を読取位置へ搬送する際に、該読取位置の上流近傍の所定位置に停止させることなく、読取位置へ搬送する非停止モードと、を有することを特徴とする。
【手続補正３】
【補正対象書類名】明細書
【補正対象項目名】００２４
【補正方法】変更
【補正の内容】
【００２４】
原稿の読取倍率に応じた停止位置に設定可能とすることで、原稿読取りの効率を向上させることができる。
請求項１０記載の発明は、請求項１又は２記載の自動原稿搬送装置を画像形成装置に搭載したことを特徴とする。
【手続補正４】
【補正対象書類名】明細書
【補正対象項目名】０１１１
【補正方法】変更
【補正の内容】
【０１１１】
【発明の効果】
請求項１記載の発明によれば、シートスルータイプの画像読取装置に搭載された自動原稿搬送装置において、原稿を読取位置へ搬送する際に、読取位置到達検出手段（レジストセンサ等）により、前記原稿が読取位置の上流近傍の所定位置に到達したことを検出した場合は、搬送動作を停止して読取位置の上流近傍の所定位置に原稿を停止させるとともに、受信手段（コントローラ等）が読取開始信号を受信すると搬送動作を再開して読取位置へ搬送する停止モードと、原稿を読取位置へ搬送する際に、その読取位置の上流近傍の所定位置に停止させることなく、読取位置へ搬送する非停止モードと、を有するので、その非停止モードにより、読取位置に原稿先端が到達する直前での一時停止（レジスト停止）による時間的なロスを回避することができ、さらに、装置状態に応じて搬送動作を一時中断することにより、作業性を向上させるとともに生産性を確保することが可能である。
【手続補正５】
【補正対象書類名】明細書
【補正対象項目名】０１１５
【補正方法】変更
【補正の内容】
【０１１５】
請求項７、８、１０記載の発明によれば、画像読取装置又は画像形成装置に前記自動原稿搬送装置を搭載しているので、装置本体の状態に応じて読取位置直前で原稿を一時停止させることができ、作業性を向上させることが可能である。